(57)【要約】【課題】  モジュラジャックの端子部と電線との接続部への機械的な負荷を軽減しながらも、電線をモジュラジャックの並ぶ方向に引き出すことができるパッチパネルを提供する。【解決手段】  第１の電線保持部Ｈ１の後方にも第２の電線保持部Ｈ２を設けた。電線としてのケーブルＣを第１の電線保持部Ｈ１に保持してモジュラジャックの端子部とケーブルＣとの接続部への機械的な負荷を軽減しながらも、ケーブルＣを第２の電線保持部Ｈ２にも保持して、モジュラジャックの並ぶ方向に引き出すことができる。【選択図】図１
2005209390.tif 000002
【特許請求の範囲】
【請求項１】
それぞれモジュラプラグが挿入されるプラグ挿入口と電線が接続される端子部とを有する複数のモジュラジャックと、モジュラジャックを保持するとともに被固定部に固定されるパッチパネル枠とを備え、パッチパネル枠は、被固定部に固定される固定部と、モジュラジャックのプラグ挿入口を前面に露出させてモジュラプラグの挿抜方向に交差する方向に並べてモジュラジャックを保持する保持部と、それぞれ保持部の後側に位置しモジュラジャックの端子部に接続される電線とともに結束バンドに囲まれることにより該電線が保持される複数の電線保持部とを有し、電線保持部として、モジュラジャックの並ぶ方向での両側に結束バンドがそれぞれ挿通される挿通部が設けられてなる第１の電線保持部と、結束バンドがそれぞれ挿通される挿通部が前後両側に設けられてなり第１の電線保持部の後方に位置する第２の電線保持部とを備えることを特徴とするパッチパネル。
【請求項２】
保持される電線の軸方向での電線保持部の寸法を、少なくとも結束バンドの幅寸法よりも大きくしたことを特徴とする請求項１記載のパッチパネル。
【発明の詳細な説明】
【技術分野】
【０００１】
本発明は、ネットワークの配線作業を支援するためのパッチパネルに関するものである。
【背景技術】
【０００２】
従来、オフィスや工場等において、音声信号、ＬＡＮ等のディジタル信号、画像信号といった様々な情報を伝達するために、ツイストペアケーブルを用いた情報配線システムが広く用いられている。このような情報配線システムでは、オフィスのレイアウト変更等の理由により情報配線の変更が必要となる場合に備えて、パッチパネルと称するネットワークの配線作業を支援するための中継端子盤が用いられている。
【０００３】
このようなパッチパネルとして、例えば図３に示すものがある（特許文献１参照）。このパッチパネルは、モジュラプラグ（図示せず）が着脱自在に接続されるモジュラジャック１と、複数（図では６個）のモジュラジャック１を一列に並べて保持するパネル４と、複数（図では４個）のパネル４が一列に並べて取り付けられ、情報ラック等の被固定部位に取り付けられるフレーム５とで構成される。パネル４とフレーム５とでパッチパネル枠が構成されている。以下、上下左右は図３（ａ）を基準とし、図３（ｂ）の下方を前方と呼ぶ。
【０００４】
モジュラジャック１は従来周知の構成を有するものであって、絶縁性を有する合成樹脂成型品からなるハウジング１１の前面にモジュラプラグが挿入されるプラグ挿入口１２が開口し、モジュラプラグの接触子と弾接する複数本のコンタクト（図示せず）がプラグ挿入口１２内に配設されている。またハウジング１１の後面には電線としての例えばツイストペアケーブルのようなケーブルＣを導入するケーブル導入口（図示せず）が開口している。ケーブル導入口の内側には、それぞれコンタクトと電気的に接続された複数の端子からなる端子部（図示せず）が設けられており、ケーブル導入口から導入されるケーブルＣの各線は、それぞれ端子部の対応する端子に接続される。
【０００５】
パネル４は絶縁性を有する合成樹脂成型品から構成される。パネル４は前面が略矩形板状であって、各モジュラジャック１の前面をそれぞれ露出させる６個の開口４１が左右に並べて設けられている。
【０００６】
フレーム５は前面が略矩形状に形成されており、フレーム５前面の長手方向における両端部には、フレーム５をラックなどの被固定部位にねじ止めするための取付ねじを挿通する固定手段としての一対の長孔５１がそれぞれ穿設されている。また、フレーム５の前面には、少なくともモジュラジャック１を挿通させることができる寸法に形成された略矩形状の４個の窓孔（図示せず）が形成されており、各窓孔はパネル４によって塞がれる。
【０００７】
さらに、フレーム５の下縁からは背面側に突出する略コ字状のケーブル固定片５７がフレーム５と連続一体に形成されている。ケーブル固定片５７は、中央片５７ａと、中央片５７ａの両端部をそれぞれフレーム５に連結する連結片５７ｂとで構成されている。
、中央片５７ａ及び連結片５７ｂにはモジュラジャック１に結線された電線を結束するための結束バンド（図示せず）を挿通する挿通孔５８ａ，５８ｂが複数穿設されている。すなわち、挿通孔５８ａ，５８ｂに挿通した結束バンドによりモジュラジャック１に結線されたケーブルＣをフレーム５に固定することができる。
【０００８】
ケーブル固定片５７の中央片５７ａにおいて、パネル４の左右方向の中間部の後方に位置する部位には、モジュラジャック１に結線された電線を結束するための結束バンドを挿通する第１の挿通孔５８ａが２個ずつ左右に並べて設けられている。すなわち、第１の挿通孔５８ａに挿通した結束バンドにより、モジュラジャック１に結線され後方へ引き出されたケーブルＣをフレーム５に固定することができる。つまり、第１の挿通孔５８ａに挟まれた部位が第１の電線保持部Ｈ１となっている。
【０００９】
また、ケーブル固定片５７の各連結片５７ｂの後端部には、それぞれ２個の第２の挿通穴５８ｂが前後に並べて貫設されている。そして、前後に並んだ第２の挿通穴５８ｂにそれぞれ挿通された結束バンドにより、軸方向を左右方向へ向けたケーブルＣをケーブル固定片５７に保持することができるようになっている。つまり、前後を第２の挿通穴５８ｂに挟まれた部位が第２の電線保持部Ｈ２となっており、第２の電線保持部Ｈ２にケーブルＣを保持することにより、ケーブルＣを左右に引き出すことができる。
【特許文献１】特許第３４８２９０７号公報
【発明の開示】
【発明が解決しようとする課題】
【００１０】
しかし、上記従来例では、第２の電線保持部Ｈ２が第１の電線保持部に対して左右方向に並ぶ位置にしか設けられていなかったので、第１の電線保持部Ｈ１に保持したケーブルＣを第２の電線保持部Ｈ２にも保持させて左右方向に引き出そうとすれば、ケーブルＣに無理な力がかかってしまうことになり、従って第１の電線保持部Ｈ１と第２の電線保持部Ｈ２との一方にしかケーブルＣを保持することができなかった。
【００１１】
そして、第１の電線保持部Ｈ１のみにケーブルＣを保持すると、ケーブルＣをパッチパネルの左右方向に引き出すことができなかった。
【００１２】
一方、第２の電線保持部Ｈ２のみにケーブルＣを保持すると、ケーブルＣをパッチパネルの左右方向に引き出すことはできるものの、ケーブルＣには軸方向を左右方向へ向ける力が加わってしまう。しかし、モジュラジャック１の端子部との接続部においてケーブルＣの軸方向は前後方向へ向けられている。従って、第２の電線保持部Ｈ２のみにケーブルＣを保持すると、モジュラジャック１の端子部とケーブルＣとの接続部に機械的な負荷がかかりやすく、この負荷のためにケーブルＣが断線することが考えられる。
【００１３】
本発明は上記事由に鑑みて為されたものであり、その目的は、モジュラジャックの端子部と電線との接続部への機械的な負荷を軽減しながらも、電線をモジュラジャックの並ぶ方向に引き出すことができるパッチパネルを提供することにある。
【課題を解決するための手段】
【００１４】
請求項１の発明は、それぞれモジュラプラグが挿入されるプラグ挿入口と電線が接続される端子部とを有する複数のモジュラジャックと、モジュラジャックを保持するとともに被固定部に固定されるパッチパネル枠とを備え、パッチパネル枠は、被固定部に固定される固定部と、モジュラジャックのプラグ挿入口を前面に露出させてモジュラプラグの挿抜方向に交差する方向に並べてモジュラジャックを保持する保持部と、それぞれ保持部の後側に位置しモジュラジャックの端子部に接続される電線とともに結束バンドに囲まれることにより該電線が保持される複数の電線保持部とを有し、電線保持部として、モジュラジャックの並ぶ方向での両側に結束バンドがそれぞれ挿通される挿通部が設けられてなる第１の電線保持部と、結束バンドがそれぞれ挿通される挿通部が前後両側に設けられてなり第１の電線保持部の後方に位置する第２の電線保持部とを備えることを特徴とする。
【００１５】
この発明によれば、電線を第１の電線保持部に保持してモジュラジャックの端子部と電線との接続部への機械的な負荷を軽減しながらも、電線を第２の電線保持部にも保持して、モジュラジャックの並ぶ方向に引き出すことができる。
【００１６】
請求項２の発明は、請求項１の発明において、保持される電線の軸方向での電線保持部の寸法を、少なくとも結束バンドの幅寸法よりも大きくしたことを特徴とする。
【００１７】
この発明によれば、結束バンドを取り付ける位置を調整することにより、電線にかかる機械的な負荷をさらに軽減することができる。
【発明の効果】
【００１８】
本発明によれば、第１の電線保持部の後方にも第２の電線保持部を設けたので、電線を第１の電線保持部に保持してモジュラジャックの端子部と電線との接続部への機械的な負荷を軽減しながらも、電線を第２の電線保持部にも保持して、モジュラジャックの並ぶ方向に引き出すことができる。
【発明を実施するための最良の形態】
【００１９】
以下、本発明を実施するための最良の形態について、図面を参照しながら説明する。
【００２０】
本実施形態は、図１及び図２に示すように、第１の電線保持部Ｈ１の後方に第２の電線保持部Ｈ２を設けることにより、ケーブルＣを第１の電線保持部Ｈ１と第２の電線保持部Ｈ２との両方に保持させることを可能としたものである。
【００２１】
詳しく説明すると、本実施形態は、モジュラプラグ（図示せず）が着脱自在に接続されるモジュラジャック１と、複数（図では６個）のモジュラジャック１を一列に並べて保持する保持部としてのパネル２と、複数（図では４個）のパネル２が一列に並べて取り付けられ、情報ラック等の被固定部位に取り付けられるフレーム３とで構成される。つまり、パネル２とフレーム３とでパッチパネル枠が構成されている。以下、上下は図２を基準とし、図２の左上―右下方向を左右方向と呼び、左下―右上方向を前後方向と呼ぶ。なお、図１ではモジュラジャック１及びパネル２の図示を省略している。
【００２２】
モジュラジャック１の構成は従来例と共通であるので、同じ符号を付して説明を省略する。
【００２３】
パネル２は絶縁性を有する合成樹脂成型品から構成される。パネル２は前面が略矩形板状であって、各モジュラジャック１の前面をぞれぞれ露出させる６個の開口２１が左右に並べて設けられている。ここで、互いに隣接する開口２１は互いに上下に位置をずらしてあり、開口２１は全体として千鳥状に配置されている。また、パネル２の後面には、各開口２１に嵌合したモジュラジャック１を上下方向から狭持する一対の狭持片２２，２３がそれぞれ後方に突設されている。
【００２４】
フレーム３は例えば金属板に打ち抜き加工と曲げ加工とを施すことにより形成されている。フレーム３の前面を構成する略矩形状の主部３１と、主部３１の下縁から後方に突設され後端が上方へ曲がった断面Ｌ字形状の連結片３２と、連結片３２の先端から後方へ突設されたケーブル固定片３３とを備える。また、機械的強度を向上するために、主部３１の上端から補強片３４が後方に突設されている。
【００２５】
主部３１は左右の幅寸法を他の部位よりも大きくしてあり、主部３１の左右の端部は補強片３４及び連結片３２よりも左右に突出していて、この突出した部位には、フレーム３をラックなどの被固定部位にねじ止めするための取付ねじ（図示せず）を挿通する一対の長孔３１ａ，３１ｂがそれぞれ穿設されている。つまり、主部３１の左右の端部が固定部となっている。下側の長穴３１ｂは下端を開放してあり、被固定部に仮止めした取付ねじの脚部を下方から挿入することができるようになっている。また、主部３１には、少なくともモジュラジャック１を挿通させることができる寸法に形成された略矩形状の４個の窓孔３１ｃが形成されており、各窓孔３１ｃはパネル２が嵌め込まれることによって塞がれる。
【００２６】
連結片３２の左右端には、左右に対向する突片３２ａが上方へ突設されている。各突片３２ａにはそれぞれ合成樹脂からなるシート状の保護板Ｂが貼着され、左右端に位置するモジュラジャック１の側面が保護板Ｂによって覆われ保護されるようになっている。また、連結片３２とケーブル固定片３３との連結部位の左右端部には、それぞれスリット３２ｂを設けてある。すなわち、被固定部位に固定されたフレーム３の長手方向両端部にはケーブル固定片３３に固定したケーブルＣの重量がかかって変形しやすくなっているが、スリット３２ｂを設けることでスリット３２ｂがない場合に対してフレーム３にかかる応力を分散し、被固定部に固定されている長手方向両端部の変形を軽減することができる。
【００２７】
ケーブル固定片３３には、モジュラジャック１に接続されたケーブルＣを結束するための結束バンド（図示せず）を挿通する第１の挿通孔３３ａが左右に並べて複数（図では８個）貫設されている。ここで、左右両端の第１の挿通穴３３ａは前後に長い長穴形状に形成され、その他の第１の挿通穴３３ａは左右に長い長方形状に形成されている。そして、左端から１番目と２番目、３番目と４番目、５番目と６番目の第１の挿通穴３３ａに挟まれた部位は、軸方向を前後方向に向けたケーブルＣが保持される第１の電線保持部Ｈ１となっている。ここで、第１の電線保持部Ｈ１は、各パネル２に対してその後方に１個ずつが位置し、各パネル２ごとにモジュラジャック１の端子部に接続されたケーブルＣを第１の電線保持部Ｈ１に保持し、後方へ引き出すことができるようになっている。
【００２８】
また、ケーブル固定片３３の左右の端部には、第２の挿通穴３３ｂが前後に並べて２個ずつ貫設されている。そして、前後に並んだ第２の挿通穴３３ｂにそれぞれ挿通された結束バンドにより、軸方向を左右方向へ向けたケーブルＣをケーブル固定片３３に保持することができるようになっている。つまり、前後を第２の挿通穴３３ｂに挟まれた部位が第２の電線保持部Ｈ２となっており、第２の電線保持部Ｈ２にケーブルＣを保持することにより、ケーブルＣを左右に引き出すことができる。
【００２９】
さらに、ケーブル固定片３３の後端（図１の上端）には、左右方向に長い第３の挿通穴３３ｃが左右に並べて複数（図では８個）設けられている。結束バンド（図示せず）をケーブル固定片３３の後側と第３の挿通穴３３ｃとに通すことにより、軸方向を左右方向に向けたケーブルＣをケーブル固定片３３の後端部に保持することができる。つまり、ケーブル固定片３３の後端部も第２の電線保持部Ｈ２となっている。
【００３０】
ここで、第３の挿通穴３３ｃの左右方向の寸法Ｌは、それぞれ結束バンドの幅寸法よりも大きくしてある。この構成により、結束バンドを取り付ける位置を調整してケーブルＣにかかる機械的負荷を軽減することができる。
【００３１】
また、第３の挿通穴３３ｃは、各第１の挿通穴３３ａの後側にそれぞれ設けられている。つまり、第２の電線保持部Ｈ２は第１の電線保持部Ｈ１の後側の部位の左右両側にそれぞれ形成されている。
【００３２】
上記構成によれば、モジュラジャック１の端子部に接続されモジュラジャック１の後方に引き出されたケーブルＣを、第１の電線保持部Ｈ１に保持することによりケーブルＣとモジュラジャックの端子部との接続部にかかる機械的な負荷を軽減しながらも、第１の電線保持部Ｈ１の後方で左右に曲げて第２の電線保持部Ｈ２に固定することにより左右に引き出すことが可能となる。
【００３３】
また、第２の電線保持部Ｈ２を第１の電線保持部Ｈ１の後側の部位の左右両側にそれぞれ形成したから、第１の電線保持部Ｈ１に保持されたケーブルを後方で左右のどちらにも曲げることができる。
【図面の簡単な説明】
【００３４】
【図１】本発明の実施形態のフレームを示す平面図である。
【図２】同上を示す分解斜視図である。
【図３】従来例を示す図であり、（ａ）は正面図、（ｂ）は平面図である。
【符号の説明】
【００３５】
１  モジュラジャック
２  パネル
３  フレーム
１２  プラグ挿入口
２１  開口
３１  主部
３３ａ  第１の挿通穴
３３ｂ  第２の挿通穴
３３ｃ  第３の挿通穴
Ｃ  ケーブル
Ｈ１  第１の電線保持部
Ｈ２  第２の電線保持部
【図１】
2005209390.tif 000003
【図２】
2005209390.tif 000004
【図３】
2005209390.tif 000005